(57)【要約】      （修正有）【課題】両端以外のポジションでも止め易いスライド式操作部材を備えた電子機器を提供する。【解決手段】第１、第２、第３の各ポジションへ移動可能に構成された操作部材６１と、第１の付勢手段７１に付勢される第１の突起部６１ａと、第２の付勢手段に付勢される第２の突起部とを備え、前記操作部材６１を前記第１ないしは第３のポジションから前記第２のポジションへ移動させる際は、前記第１の付勢手段７１の前記第１の突起部６１ａへの付勢力による操作負荷は増加せず、前記第２の付勢手段の前記第２の突起部への付勢力による操作負荷は増加し、前記第２のポジションから前記第１ないしは第３のポジションへ移動させる際は、前記第１の付勢手段７１の前記第１の突起部６１ａへの付勢力による操作負荷及び、前記第２の付勢手段の前記第２の突起部への付勢力による操作負荷が共に増加する操作手段を備える。【選択図】図１
2015103492.tif 000002
【特許請求の範囲】
【請求項１】
第１、第２、第３の各ポジションへ移動可能に構成された操作部材（６１）と、第１の付勢手段（７１）と該第１の付勢手段（７１）に付勢される第１の突起部（６１ａ）と、第２の付勢手段（８２）と、該第２の付勢手段（８２）に付勢される第２の突起部（８１ａ）と、前記操作部材（６１）の前記第１、第２、第３の各ポジションに応じて信号を出力するスイッチ手段（８）とを備え、前記操作部材（６１）を前記第１ないしは第３のポジションから前記第２のポジションへ移動させる際は、前記第１の付勢手段（７１）の前記第１の突起部（６１ａ）への付勢力による操作負荷は増加せず、前記第２の付勢手段（８２）の前記第２の突起部（８１ａ）への付勢力による操作負荷は増加し、前記第２のポジションから前記第１ないしは第３のポジションへ移動させる際は、前記第１の付勢手段（７１）の前記第１の突起部（６１ａ）への付勢力による操作負荷及び、前記第２の付勢手段（８２）の前記第２の突起部（８１ａ）への付勢力による操作負荷が共に増加するように構成された操作手段を備えることを特徴とする電子機器。
【請求項２】
第１、第２、第３の各ポジションへ移動可能に構成された操作部材（６１）と、第３の付勢手段（９１）と、該第３の付勢手段（９１）に付勢される第３の突起部（６１ｄ）と、
第２の付勢手段（８２）と、該第２の付勢手段（８２）に付勢される第２の突起部（８１ａ）と、前記操作部材（６１）の前記第１、第２、第３の各ポジションに応じて信号を出力するスイッチ手段（８）とを備え、前記操作部材（６１）が前記第１ないしは第３のポジションにある時には、前記第３の付勢手段（９１）の前記第３の突起部（６１ｄ）への付勢力によって、前記操作部材（６１）の前記第２のポジション方向への力が働き、前記操作部材（６１）が前記第１から第３のいずれかのポジションからその隣のポジションへ移動させる際には、前記第２の付勢手段（８２）の前記第２の突起部（８１ａ）への付勢力によって操作力が発生するように構成された操作手段を備えることを特徴とする電子機器。
【請求項３】
前記操作部材（６１）を前記第１から第３のいずれかのポジションからその隣のポジションへ移動させる際の、前記第２の付勢手段（８２）の前記第２の突起部（８１ａ）への付勢によって発生する操作力は 、前記操作部材（６１）が前記第１ないしは第３のポジションにある時の、前記第３の付勢手段（９１）の前記第３の突起部（６１ｄ）への付勢による前記操作部材（６１）の前記第２のポジション方向への力よりも強く構成された操作手段を備えることを特徴とする請求項２に記載の電子機器。 
【請求項４】
前記スイッチ手段（８）は前記操作部材（６１）の操作力を受ける、スイッチノブ（８１）を備え、前記第２の突起部（８１ａ）は該スイッチノブ（８１）に形成され、前記第２の付勢手段（８２）は前記スイッチノブ（８１）に対し、摺動可能に取り付けられて構成された操作手段を備えることを特徴とする請求項１乃至請求項３の何れか１項に記載の電子機器。
【請求項５】
前記スイッチ手段（８）は前記スイッチノブ（８１）と前記第２の付勢手段（８２）と前記第２の突起部（８１ａ）とを含む一体のスイッチモジュール（８）から成る操作手段を備えることを特徴とする請求項１乃至請求項４の何れか１項に記載の電子機器。
【発明の詳細な説明】
【技術分野】
【０００１】
本発明は、電子機器に備わる操作部材の構造に関し、特に複数ポジションを備えるスライド式操作部材の構造に関するものである。
【背景技術】
【０００２】
従来、電子機器には様々な操作を実行させるため、押しボタン式やダイヤル式、スライド式を始めとして多くの種類の操作部材が実装されている。前記スライド式操作部材において、操作ポジションが３つ以上ある場合に、操作部材を最初のポジションから隣のポジションへ移動させる際の勢いで、さらに隣のポジションまで移動させてしまい、両端以外のポジションでは操作部材を止め難いという問題があった。これは、操作部材を最初のポジションから隣のポジションへ移動させる際の操作力と、隣のポジションからさらに隣のポジションへ移動させる際の操作力の差が小さいことが一因である。
【０００３】
スライド式操作部材において中央のポジションで止め易くする技術として特許文献１では、ポジション相互間を摺動移動する操作部材において、左右に両腕を延出しその先端に、溝に嵌入する嵌入部をそれぞれ備え、中央のポジションに対して両端の嵌入部が嵌入する２つの溝と、左右のポジションに対してそれぞれ左右端の１個の嵌入部のみが嵌入する溝とを備えた３ポジションの操作部材に関する技術が開示されている。
【先行技術文献】
【特許文献】
【０００４】
【特許文献１】特開２００３−３０３５３１号公報
【発明の概要】
【発明が解決しようとする課題】
【０００５】
しかしながら、上述の特許文献に開示された従来技術では、左右の腕の形状が不均一になった際、操作荷重が左右非対称になる恐れや、腕を左右に延出させるため、操作部材が大型化してしまう恐れがあった。
【０００６】
そこで、本発明の目的は、両端以外のポジションでも止め易いスライド式操作部材を備えた電子機器を提供することである。
【課題を解決するための手段】
【０００７】
上記目的を達成するために、第１、第２、第３の各ポジションへ移動可能に構成された操作部材（６１）と、第１の付勢手段（７１）と該第１の付勢手段（７１）に付勢される第１の突起部（６１ａ）と、第２の付勢手段（８２）と、該第２の付勢手段（８２）に付勢される第２の突起部（８１ａ）と、前記操作部材（６１）の前記第１、第２、第３の各ポジションに応じて信号を出力するスイッチ手段（８）とを備え、前記操作部材（６１）を前記第１ないしは第３のポジションから前記第２のポジションへ移動させる際は、前記第１の付勢手段（７１）の前記第１の突起部（６１ａ）への付勢力による操作負荷は増加せず、前記第２の付勢手段（８２）の前記第２の突起部（８１ａ）への付勢力による操作負荷は増加し、前記第２のポジションから前記第１ないしは第３のポジションへ移動させる際は、前記第１の付勢手段（７１）の前記第１の突起部（６１ａ）への付勢力による操作負荷及び、前記第２の付勢手段（８２）の前記第２の突起部（８１ａ）への付勢力による操作負荷が共に増加するように構成された操作手段を備えることを特徴とする。
【発明の効果】
【０００８】
本発明によれば、両端以外のポジションでも止め易いスライド式操作部材を備えた電子機器を提供することができる。
【図面の簡単な説明】
【０００９】
【図１】本発明の第１の実施例を表す撮像装置に備わるスライドレバー周辺の正面図
【図２】本発明の第１の実施例を表す撮像装置に備わるスイッチモジュールの上面図
【図３】本発明の第１の実施例を表す撮像装置の斜視図
【図４】本発明の第２の実施例を表す撮像装置に備わるスライドレバー周辺の内面図
【発明を実施するための形態】
【００１０】
以下に、本発明の好ましい実施の形態を、添付の図面に基づいて詳細に説明する。
【００１１】
［実施例１］
以下、本発明の第１の実施例について説明する。
【００１２】
図３に本発明の第１の実施形態にかかわる撮像装置１の斜視図を示す。同図において本実施例に直接関係のない部品は極力省略し、その説明も省略する。撮像装置１には、撮像装置１の前面側を覆う前面カバー２を備え、略中央には被写体像を形成する撮影レンズや、被写体像を光電変換し電気的画像信号を得る撮像素子を備えた撮影鏡筒３を備える。本撮影鏡筒３は収納時には撮像装置１本体に収納され、撮影時には撮像装置１本体から繰り出される、いわゆる沈胴式撮影鏡筒である。
【００１３】
撮影鏡筒３の近傍には撮影時に被写体を照射するストロボ装置４が備わる。撮像装置１の背面側には撮像装置１の背面側を覆う背面カバー５を備え、同じく上面側には上面側を覆う上面カバー６を備える。上面カバー６には撮影モードの変更操作を行うスライドレバー６１、シャッター操作を行うシャッターボタン６２、撮影鏡筒３の撮影倍率の変更操作を行うズームレバー６３、電源の入切操作を行う電源ボタン６４等、各種操作部材が備わる。前記撮影モードには、カメラが判定した撮影条件に自動的に設定が行われ撮影が実行されるオート撮影モードや、撮影者が好みの撮影条件に設定できるマニュアル撮影モード等がある。
【００１４】
前記スライドレバー６１は図３に示す右ポジションを始め、中央、左の３つのポジションに切り替え可能に構成され、撮影者によって適宜、前記撮影モードの変更操作が行われる。以下、前記スライドレバーの構造について詳細な説明を行う。
【００１５】
図１に本発明の第１の実施例を表す撮像装置１に備わるスライドレバー６１周辺の正面図を示す。同図において、６１はスライドレバーであり、撮影者が操作する操作部を上面カバー６の外部へと露出させている。前記スライドレバー６１に突起部６１ａ及び溝部６１ｂが形成され、上面カバー６に装着されスライドレバー６１に対して摺動可能に構成された第１の板バネ７１の付勢力を受け、スライドレバー６１の操作に応じて操作力を発生させている。また、スライドレバー６１には不図示の配線基板に実装されたスイッチモジュール８に設けられたスイッチノブ８１と係合する係合部６１ｃが形成され、スライドレバー６１の移動に連動して、スイッチノブ８１が移動するように構成されている。
【００１６】
同図（ａ）に示すスライドレバー６１の位置は前記右ポジションに相当し、同図（ｂ）及び同図（ｃ）に示すスライドレバー６１の位置は、それぞれ前記中央ポジション、左ポジションに相当する。スライドレバー６１は前記右ポジションより右への移動と、前記左ポジションより左への移動は不図示のストッパーによって規制されている。図２に本発明の第１の実施例を表す撮像装置１に備わるスイッチモジュール８の上面図を示す。前記スイッチモジュール８内部にはスイッチノブ８１と第２の板バネ８２とが収納されている。
【００１７】
前記スイッチノブ８１に突起部８１ａ及び溝８１ｂが形成され、前記スイッチモジュール８のケース８３に装着されスイッチノブ８１に対して摺動可能に構成された前記第２の板バネ８２の付勢力を受け、スライドレバー６１の操作に応じて操作力を発生させている。図１同様に、同図（ａ）に示すスイッチノブ８１の位置は、前記右ポジションに相当し、同図（ｂ）及び同図（ｃ）に示すスイッチノブ８１の位置は、それぞれ前記中央ポジション、左ポジションに相当する。
【００１８】
図１（ａ）及び図２（ａ）で示す状態、即ち前記右ポジションでは、第１の板バネ７１はスライドレバー６１に設けられた突起部６１ａに付勢した状態であり、スイッチモジュール８内に設けられた第２の板バネ８２は溝８１ｂに嵌った状態である。本状態からスライドレバー６１を左方向へ、即ち中央ポジション側へ移動させると、第１の板バネ７１は図１（ｂ）に示すようにスライドレバー６１に形成された溝６１ｂに嵌った状態へ変化する。
【００１９】
一方、第２の板バネ８２は図２（ａ）及び図２（ｂ）に示すようにスイッチノブ８１に形成された溝８１ｂに嵌った状態から途中で突起部８１ａを乗り越え、また隣の溝８１ｂへ嵌った状態へ変化する。即ち、右ポジションから中央ポジションへ移動させる際には、第１の板バネ７１のスライドレバー６１に対する付勢力は増加せず、第２の板バネ８２のスイッチノブ８１に対する付勢力が増加する構成となっている。続いて、中央ポジションからさらに左方向へ、即ち左ポジション側へ移動させると、第１の板バネ７１は図１（ｃ）に示すようにスライドレバー６１に形成された突起部６１ａに付勢した状態、即ち乗り上げた状態へ変化する。
【００２０】
一方、第２の板バネ８２は図２（ｂ）及び図２（ｃ）に示すようにスイッチノブ８１に形成された溝８１ｂに嵌った状態から途中で突起部８１ａを乗り越え、また隣の溝８１ｂへ嵌った状態へ変化する。即ち、中央ポジションから左ポジションへ移動させる際には、第１の板バネ７１及び第２の板バネ８２のスライドレバー６１及びスイッチノブ８１に対する付勢力は共に増加する構成となっている。このため、前記右ポジションから前記中央ポジションへ移動させる際の操作負荷より、前記中央ポジションからは前記左ポジションへ移動させる際の操作負荷の方が大きくなる。
【００２１】
故に、撮影者がスライドレバー６１を前記右ポジションから中央ポジションへ移動させる際に、意図せずに左ポジションまで移動させてしまう事を防止する効果が得られる。また、前記スイッチモジュール８内にスイッチノブ８１及び第２の板バネ８１が備わり、スイッチノブ８１に第２の板バネ８１の付勢力を受ける突起８１ａ形成されているため、操作力を発生させる機構の小型化が可能である。以上、右ポジションから左ポジションの方向へスライドレバー６１の移動について説明を行ったが、左ポジションから右ポジションへの移動についても同様の構成であるため、説明を省略する。
【００２２】
［実施例２］
以下、本発明の第２の実施例について説明する。第１の実施例と同一部材には同一の符号を用い、重複する説明については省略する。図４に本発明の第２の実施例を表す撮像装置に備わるスライドレバー６１周辺の内面図を示す。同図において、６１はスライドレバーである。前記スライドレバー６１には、線ばね９１の付勢力を受け、スライドレバー６１の操作力を発生させる突起部６１ｄが形成されている。前記突起部６１ｄにはゴムキャップ９３が被せられ、線ばね９１の付勢力によって発生するスライドレバー６１操作時の操作音の一部を吸収している。
【００２３】
前記線ばね９１はビス９２によって上面カバー６からの脱落が防止されている。また、第１の実施例同様、スライドレバー６１の移動に連動して、前記スイッチノブ８１が移動するように構成されている。図４（ａ）に示すスライドレバー６１の位置は前記右ポジションに相当し、同図（ｂ）及び同図（ｃ）に示すスライドレバー６１の位置は、それぞれ前記中央ポジション、左ポジションに相当する。スイッチモジュール８及びその内部構成については第１の実施例と同様であるため説明を省略する。
【００２４】
図４（ａ）及び図２（ａ）で示す状態、即ち前記右ポジションでは、線ばね９１はスライドレバー６１に設けられた突起部６１ｄに付勢し、スライドレバー６１に対し、中央ポジション方向への力が働いている。一方、スイッチモジュール８内に設けられた第２の板バネ８２は溝８１ｂに嵌った状態である。本状態からスライドレバー６１を左方向へ、即ち中央ポジション側へ移動させると、線ばね９１の突起部６１ｄへの付勢力は徐々に除荷され、図４（ｂ）で示した状態で最も付勢力が小さくなるように構成されている。一方、第２の板バネ８２は図２（ａ）及び図２（ｂ）に示すようにスイッチノブ８１に形成された溝８１ｂに嵌った状態から途中で突起部８１ａを乗り越え、また隣の溝８１ｂへ嵌った状態へ変化する。
【００２５】
即ち、右ポジションから中央ポジションへ移動させる際には、線ばね９１のスライドレバー６１に対する付勢力は低下し、第２の板バネ８２のスイッチノブ８１に対する付勢力が増加する構成となっている。スライドレバー６１が前記右ポジションにある時の、線ばね９１によるスライドレバー６１の中央ポジション側への付勢力は、前記第２の板バネ８２が溝８１ｂから突起部８１ａへ乗り上げてしまう力よりも弱く設定されている。このため、撮影者の操作無く、スライドレバー６１が右ポジションから中央ポジションへ移動してしまうことはない。続いて、中央ポジションからさらに左方向へ、即ち左ポジション側へ移動させると、線ばね９１の突起部６１ｄへの付勢力は徐々に増え、スライドレバー６１が左ポジションの位置で、右ポジションの位置と同等の付勢力となるように構成されている。
【００２６】
一方、第２の板バネ８２は図２（ｂ）及び図２（ｃ）に示すようにスイッチノブ８１に形成された溝８１ｂに嵌った状態から途中で突起部８１ａを乗り越え、また隣の溝８１ｂへ嵌った状態へ変化する。即ち、中央ポジションから左ポジションへ移動させる際には、線バネ９１及び第２の板バネ８２のスライドレバー６１に対する付勢力は共に増加する構成となっている。このため、前記右ポジションから前記中央ポジションへ移動させる際の操作負荷より、前記中央ポジションからは前記左ポジションへ移動させる際の操作負荷の方が大きくなる。
【００２７】
故に、撮影者がスライドレバー６１を前記右ポジションから中央ポジションへ移動させる際に、意図せずに左ポジションまで移動させてしまう事を防止する効果が得られる。以上、右ポジションから左ポジションの方向へのスライドレバー６１の移動について説明を行ったが、左ポジションから右ポジションへの移動についても同様の構成であるため、説明を省略する。
【００２８】
以上、本発明の好ましい実施形態について説明したが、本発明はこれらの実施形態に限定されず、その要旨の範囲内で種々の変形及び変更が可能である。
【符号の説明】
【００２９】
６１    スライドレバー
６１ａ  突起部
６１ｂ  溝
６１ｄ  突起部
７１    第１の板バネ
８      スイッチモジュール
８１    スイッチノブ
８１ａ  突起部
８１ｂ  溝
８２    第２の板バネ
９１    線ばね
【図１】
2015103492.tif 000003
【図２】
2015103492.tif 000004
【図３】
2015103492.tif 000005
【図４】
2015103492.tif 000006